(57)【要約】【課題】  底板は同一のまま、容積や外形を変更可能な設計自由度の高い植木鉢を提供すること。【解決手段】  壁板２、上部底板３、下部底板４、固定用ボルト５、ナット６からなる組み立て式の植木鉢１であって、壁板２は、植木鉢１の側壁を形成する側板７と、植木鉢１の底の一部を形成する台形状の舌片８とを備え、舌片８は側板７に突設されている。所望の枚数の壁板２を、必要に応じて隣り合う壁板２同士の角度を変化させ、舌片８が互いに向き合う様に連結することによって筒体を形成し、更に上部底板３の凹凸と舌片８の凹凸とを咬合させ、舌片８を上部底板３とを下部底板４とで挟み、固定用ボルト５とナット６で固定して植木鉢１を形成する。【選択図】        図２
2005021158.tif 000002
【特許請求の範囲】
【請求項１】
複数連結することによって植木鉢の側壁となる筒体を形成する側板と、
前記側板にそれぞれ突設し、植木鉢の底の一部を形成する舌片と、
前記舌片と共に底を形成する底板と、
を備えたことを特徴とする植木鉢。
【請求項２】
前記舌片と前記底板とを固定する固定手段を備えたことを特徴とする請求項１に記載の植木鉢。
【請求項３】
前記舌片と前記底板とに互いに咬合する凹凸を設けたことを特徴とする請求項１または２に記載の植木鉢。
【請求項４】
前記舌片は、前記筒体内部方向に向かって先細りの平板基調の板であり、前記筒体を形成した際に同じ高さに位置する様に前記側板に設けられたことを特徴とする請求項１、２または３に記載の植木鉢。
【請求項５】
前記底板として、前記舌片を上下から挟み込む上部底板と下部底板とを設け、
前記固定手段として、前記上部底板と前記下部底板とを上下から締め付ける締付手段を設けたことを特徴とする請求項２、３または４に記載の植木鉢。
【請求項６】
前記側板の左右の側面の一方には円柱状の凸条部を、他方には同型の凹条部を設け、
前記側板は、前記凸条部と前記凹条部とを嵌合させることにより連結することを特徴とする請求項１〜５のいずれか一つに記載の植木鉢。
【請求項７】
前記側板の左右の側面の一方には円柱状の凸条部を、他方には凸条部を差し込んで嵌合する凹条部を設け、
更に、側板の左右の端部に孔をあけ、
前記凸条部と凹条部とにより側板同士を連結し、前記孔にひもその他の締結具を通して締め付けて側板同士を固定可能としたことを特徴とする請求項１〜５のいずれか一つに記載の植木鉢。
【発明の詳細な説明】
【技術分野】
【０００１】
本発明は、植木鉢に関し、特に、容積および形状を変化させることが可能な組み立て式の植木鉢に関する。
【背景技術】
【０００２】
一般的に用いられている植木鉢は、容積や形状が固定されている。この様な植木鉢では、木の生長に応じて植え替えをするたびに大きな植木鉢を用意しなければならない。また、植え替え後に必要のなくなった場合には、その収納場所が必要となってくる。また、草花の販売店、一般家庭の庭やベランダなど広さの限られた空間に植木鉢を置く場合に、その場の広さと雰囲気に合うものを速やかに用意したいという要望もある。これらのことから、形状や容積を変化させることのできる植木鉢が望まれていた。
【０００３】
実開昭６０−１３１１４８号公報では、連結体を介して板状側面体を連結することで無底の容器体を形成し、この容器体に対応する底部を設ける植木鉢が提案されている。
【０００４】
この植木鉢であれば、板状側面体の枚数を増減させることにより、容積および形状を変化させることができ、しかも使用しない際或いは運搬の際には分解することができる。
【０００５】
【特許文献１】実開昭６０−１３１１４８号公報
【発明の開示】
【発明が解決しようとする課題】
【０００６】
しかしながら、従来の技術では以下の問題点があった。
すなわち、実開昭６０−１３１１４８号公報の植木鉢では、容量および形状を変えた場合底の形状も変化するので、そのつど新たな底を用意しなければならないという問題点があった。
【０００７】
また、実開昭６０−１３１１４８号公報の植木鉢では、形状を変えるためには、板状側面体や連結体を増減させなければならないという問題点があった。
【０００８】
本発明は上記に鑑みてなされたものであり、底板は同一のまま形状や容積を変更可能な設計自由度の高い植木鉢を提供することを目的とする。
【課題を解決するための手段】
【０００９】
上記の目的を達成するために請求項１に記載の植木鉢は、複数連結することによって植木鉢の側壁となる筒体を形成する側板と、前記側板にそれぞれ突設し、植木鉢の底の一部を形成する舌片と、前記舌片と共に底を形成する底板と、を備えたことを特徴とする。
【００１０】
すなわち、請求項１にかかる発明は、側板をその枚数を増減させたり隣り合うもの同士の角度を変えたりして連結し、植木鉢の側壁となる筒体を形成する。また、舌片と底板とを重ね合わせることによって植木鉢の底を形成する。なお、舌片と底板とは、植木鉢の底を形成できる程度に重なり合っていればよい。実際の植木鉢では水はけ性を確保するため底に孔があいている場合が通常で、本発明では舌片間の隙間や舌片と底板との隙間がこの役目を担う。
【００１１】
また、請求項２に記載の植木鉢は、前記舌片と前記底板とを固定する固定手段と、を備えたことを特徴とする。すなわち、請求項２にかかる発明は、舌片と底板とを固定手段で固定することによって植木鉢の形状をより強固に保持する。
【００１２】
また、請求項３に記載の植木鉢は、請求項１または２に記載の植木鉢において、前記舌片と前記底板とに互いに咬合する凹凸を設けたことを特徴とする。すなわち、請求項３にかかる発明は、舌片と底板とに設けた凹凸を互いに咬み合わせることによって、植木鉢の底を形成する舌片と底板とを固定する。凹凸の材質や形状などにより、底板が固定手段ともなり得、この場合、いわば底板に側板を植設および固定することができることとなる。
【００１３】
また、請求項４に記載の植木鉢は、請求項１、２または３に記載の植木鉢において、前記舌片が、前記筒体内部方向に向かって先細りの平板基調の板であり、前記筒体を形成した際に同じ高さに位置する様に前記側板に設けられたことを特徴とする。すなわち、請求項４にかかる発明は、側板を連結した際に舌片が同じ高さに位置する様に設けられているので、舌片同士が支えとなって側板が筒体内部方向に折れ込むのを防止し、取り扱い易い、また、組み立てやすい植木鉢を提供することができる。
【００１４】
また、請求項５に記載の植木鉢は、請求項２、３または４に記載の植木鉢において、前記底板として、前記舌片を上下から挟み込む上部底板と下部底板とを設け、前記固定手段として、前記上部底板と前記下部底板とを上下から締め付ける締付手段を設けたことを特徴とする。すなわち、請求項５にかかる発明は、舌片を底板で挟み込んだ状態で締付手段によって舌片と底板とを固定する。
【００１５】
また、請求項６に記載の植木鉢は、請求項１〜５のいずれか一つに記載の植木鉢は、前記側板の左右の側面の一方には円柱状の凸条部を、他方には同型の凹条部を設け、前記側板は、前記凸条部と前記凹条部とを嵌合させることにより連結することを特徴とする。
【００１６】
すなわち、請求項６にかかる発明は、側板を連結する際に凹条部に凸条部を差し込んで嵌合させることにより、形成された筒体の形状をより強固に保持する。また、凸条部と凹条部とは円柱状なので嵌合させた状態で回動させることができ、隣り合う側板同士の角度を変化させる必要がある場合にも対応することができる。
【００１７】
また、請求項７に記載の植木鉢は、請求項１〜５のいずれか一つに記載の植木鉢において、前記側板の左右の側面の一方には円柱状の凸条部を、他方には凸条部を差し込んで嵌合する凹条部を設け、更に、側板の左右の端部に孔をあけ、前記凸条部と凹条部とにより側板同士を連結し、前記孔にひもその他の締結具を通して締め付けて側板同士を固定可能としたことを特徴とする。
【００１８】
すなわち、請求項７にかかる発明は、凹条部と凸条部とを差込み合わせて側板を連結し、ひも等のありふれた材料で孔を介して側板ひいては鉢の形状を固定できる。なお、締結具の素材は特に問わず、植物繊維ひも、革ひも、ビニルひも、針金などを挙げることができる。
【発明の効果】
【００１９】
以上説明した様に、本発明の植木鉢（請求項１）は、複数連結することによって植木鉢の側壁となる筒体を形成する側板と、前記側板にそれぞれ突設し、植木鉢の底の一部を形成する舌片と、前記舌片と共に底を形成する底板と、を備えたので、植木鉢の側壁となる筒体を形成する際に側板の枚数を増減させることによって、筒体の形状を変化させることができ、植木鉢の容積や形状を変化させることができる。またこの筒体の形状の変化に伴って舌片の位置が移動しても、舌片と底板とが重なりあった状態であれば植木鉢の底が形成される。以上のことにより、底板は同一のまま、容積や外形を変更可能な設計自由度の高い植木鉢を提供することができる。
【００２０】
また、連結させる側板の角度を変化させることによって、同じ枚数の側板を用いても筒体の形状を様々に変化させることができる。また、この筒体の形状の変化に伴って舌片の位置が移動しても、上述したのと同様に舌片と底板とが重なりあった状態であれば植木鉢の底が形成される。以上のことより、底板は同一のまま、容積や外形を変更可能な設計自由度の高い植木鉢を提供することができる。
【００２１】
また、本発明の植木鉢（請求項２）は、請求項１に記載の植木鉢において、舌片と底板とを固定する固定手段を備えたので、より頑丈な植木鉢を提供することができる。
【００２２】
また、本発明の植木鉢（請求項３）は、請求項１または２に記載の植木鉢において、舌片と底板とに互いに咬合する凹凸を設けたので、植木鉢の容積や形状を変化させても、舌片と底板とを固定することができ、底板をそのまま用いることが可能であって設計自由度の高い植木鉢を提供することができる。
【００２３】
また、本発明の植木鉢（請求項４）は、請求項１、２または３に記載の植木鉢において、舌片が、筒体内部方向に向かって先細りの平板基調の板であり、筒体を形成した際に同じ高さに位置する様に側板に設けられたので、舌片同士が支えとなって側板が筒体内部方向に折れ込むのを防止することができ、植木鉢の形状が保持され易くなる。すなわち、組み立てやすい植木鉢を提供可能となる。
【００２４】
また、本発明の植木鉢（請求項５）は、請求項２、３または４に記載の植木鉢において、底板として、舌片を上下から挟み込む上部底板と下部底板とを設け、固定手段として、上部底板と下部底板とを上下から締め付ける締付手段を設けたので、舌片と底板とが固定できる程度に重なっていれば、締付手段によって舌片と底板とが固定され、植木鉢の底が形成されるとともに植木鉢の形状が保持される。
【００２５】
また、本発明の植木鉢（請求項６）は、請求項１〜５のいずれか一つに記載の植木鉢において、側板の左右の側面の一方には円柱状の凸条部を、他方には同型の凹条部を設け、側板が、凸条部と凹条部とを嵌合させることにより連結されるので、形成された筒体の形状は凸条部と凹条部とによって保持され、より頑丈な植木鉢を提供することができる。更に、凸条部と凹条部とは円柱状なので嵌合させた状態で回動させることができ、隣り合う側板同士の角度を変化させる必要がある場合にも対応することができる。ひいては底板は同一のまま、容積や形状を変更可能な設計自由度の高い植木鉢を提供することができる。
【００２６】
また、本発明の植木鉢（請求項７）は、請求項１〜５のいずれか一つに記載の植木鉢において、側板の左右の側面の一方には円柱状の凸条部を、他方には凸条部を差し込んで嵌合する凹条部を設け、更に、側板の左右の端部に孔をあけ、凸条部と凹条部とにより側板同士を連結し、孔にひもその他の締結具を通して締め付けて側板同士を固定可能としたので、底板を使い回し可能で、形状や容積を簡便に変更可能な設計自由度の高い植木鉢を提供可能となる。
【発明を実施するための最良の形態】
【００２７】
以下、本発明の実施の形態を図面を参照しながら詳細に説明する。
図１は、本実施の形態の植木鉢の外観斜視図である。図２は、本実施の形態の植木鉢の分解斜視図である。図３は、図１に示した植木鉢のＡ−Ａ’断面図である。図４は、本実施の形態の植木鉢を上部側から見た場合の外観図である。図５は、本実施の形態の壁板の斜視図である。
【００２８】
図１〜図４に示した様に、植木鉢１は、底を有する九角形の筒体形状をしており、壁板２と上部底板３と下部底板４と固定用ボルト５とナット６とからなる。
【００２９】
壁板２は、植木鉢１の側壁を形成する側板７と、植木鉢の底の一部を形成する舌片８とからなる（図５参照）。側板７は平板基調の長方形の板であり、舌片８は平板基調の台形の板である。
【００３０】
側板７の植木鉢内部側の面７０１上には舌片８が垂直に設けられている。また、側板７の植木鉢内部側のコーナ部のうち縦方向に伸びたもの（側板の左右の側面）の一方には円柱状の凸条部９が、他方にはこの凸条部９と同型の凹条部１０が設けられている（図４および図５参照、その他の図面では便宜上省略）。隣り合う側板の凸条部９と凹条部１０とを嵌合させることによって側板同士を簡便に連結することができる。なお、凸条部９と凹条部１０とは円柱状なので、嵌合させた状態で回動でき、ある角度内で壁板同士の角度を変えることができる。
【００３１】
舌片８の左右の側面８０１ａ、８０１ｂと側板７の植木鉢内部側の面７０１とがなす角ａ、角ａ’は同じ角度であり、９０度より小さくしてある（図５参照）。植木鉢の容積や形状を変化させる際には、壁板２の枚数を増減させることに加えて、隣り合う壁板２同士の角度を変えなければならない。このように壁板２同士の角度を変える際に側板７同士が邪魔し合わない様に、側板７の側面７０２ａと舌片の側面８０１ａとの壁板２外側の交角、側板７の側面７０２ｂと舌片の側面８０１ｂとの壁板２外側の交角、はそれぞれ１８０度より大きくなる様構成されている。更にこの舌片８の上面には全面に渡って、図５に示した様な小さな凹凸８０２が設けられている。
【００３２】
上部底板３および下部底板４は、円形状の板であり、円の中心には、固定用ボルト５を通すための孔３０１、孔４０１がそれぞれ設けられている（図２および図３参照）。また、上部底板３と下部底板４には、水抜き孔３０２、水抜き孔４０２が設けられている。更に、上部底板３の下面には、上述した舌片８の凹凸８０２に咬合する凹凸３０３が設けられている。
【００３３】
本実施の形態の植木鉢は以下の様にして組み立てられる。
まず、舌片８が植木鉢内部側に配される様に９枚の壁板２を連結することによって、九角形の筒体を形成する。この際、隣り合う壁板２同士の凸条部９と凹条部１０とを嵌合させることにより、壁板２同士が連結される。次にこの筒体の上部から上部底板３を入れ、舌片８上面の凹凸８０２と上部底板３下面の凹凸３０３とを咬合させ、壁板２と上部底板３とを固定し植木鉢の底を形成する。次に、筒体の下部から下部底面４を入れ、上部底板３と下部底板４とで上下から舌片８を挟んだ状態にし、固定用ボルト５とナット６で締め付ける。このように締め付けることにより、壁板２と上部底板３とが更に強固に固定されるとともに、底が二重になることで植木鉢の強度が増す。このようにして植木鉢が組み立てられる。
【００３４】
なお、上述した植木鉢の側壁は側板を連結させて形成したが、本発明はこれに限定されるものでない。例えば、植木鉢の側壁が一枚の帯状の側板からなる、つまりは側板として上述の実施の形態の側板７が連結した状態で一体形成されたものを用いる様態とすることもできる。このとき帯状の側板には一定の間隔毎に上端から下端まで縦方向に切り込みを入れ、ここで折曲げ可能とすればよい。舌片については、上述の実施の形態と同様のものを切り込みと切り込みとの間に設ければよく、上部底板、下部底板、ボルト、ナットについても上述の実施の形態と同様のものを用いればよい。切り込み部分を様々に折曲げることによって側板を増減させることなく筒体の形状を変化させることができ、上部底板と下部底板とで舌片を挟み込むことによって植木鉢が形成される。
【００３５】
次に、本実施の形態の植木鉢の容積を変化させる場合を説明する。図６は、本実施の形態の植木鉢の容積を変化させた場合の舌片の配置の状態を上部から示した概略透視図である。図６（ａ）には、壁板を９枚（実線表示）から８枚（点線表示）に減らした場合の舌片８と上部底板３とが示されており、図６（ｂ）には壁板２を９枚（実線表示）から１０枚（点線表示）に増やした場合の舌片８と上部底板３との状態が示されている。なお、図６（ａ）、（ｂ）いずれの場合も底板３は同じものが用いられている。図３に示した様に壁板２の枚数を８枚〜１０枚の間で増減させても、同じ上部底板３を用いて植木鉢を形成することができる。
【００３６】
容積を変化させるには、壁板２の枚数を増減させることに加えて隣り合う壁板２同士の角度を必要に応じて変化させればよい。なお、上部底板３と舌片８とが重なり合いお互いの凹凸を咬合できる程度まで壁板２の枚数を増減することができる。
【００３７】
続いて、同じ部品構成で異なった形状の植木鉢を形成する場合を説明する。図７は、同じ部品構成で異なる形状を形成させた場合の例を示した概略透視図である。図７に示した様に、同じ１６枚の壁板２と同じ上部底板３を用いて四角形状（図７（ａ）参照）から半月状（図７（ｂ）参照）に変化させることができる。
【００３８】
同じ部品構成で異なる形状の植木鉢を形成するには、舌片８と上部底板３との凹凸を咬合させることができる範囲内で、隣り合う壁板２同士の角度を舌片８の左右の側面同士がぴったり重なり合う状態から側板７の左右の側面同士がぴったり重なり合う状態まで変化させればよい。
【００３９】
なお、本実施の形態の植木鉢であれば、植え替えをする場合固定用ボルト５とナット６を緩め下部底板４と壁板２とをはずすことによって、植木を取り出すことができるので、植木の根などを傷つけることがない。
【００４０】
また、上述の実施の形態では、壁板２と上部底板３とを固定するために、凹凸８０２、凹凸３０３とを設けたが、本発明はこれに限定されるものではなく、舌片８と上部底板３とを固定するものであればよい。例えば、植木鉢の容積を変える際に、植木鉢の筒体が正五角形、正六角形、正七角形という様に筒体の中心軸を中心にして同心円状に大小する場合、この同心円に沿って舌片８の上面には円弧状の突起を複数設け、上部底板４には舌片８の突起と対応する円形の溝を設けることもできる。また、下部底板４に舌片８との固定手段を設ける構成にしてもよい。
【００４１】
また、上述の実施の形態では、壁板２の側板７として長方形の板を用いたが、本発明はこれに限定されるものではなく、例えば、上部から見て円弧状のものや波打ったものなどでもよく、また、長方形に替え、上辺が長く下辺が短い台形として組み上げた際に上に向かって広がる円筒になる様にしてもよい。また、凸条部９と凹条部１０とを設ける位置は、上述したコーナ部に限定されるものではなく、側板７の左右の側面に設ける構成としてもよい。また、上述の実施の形態では側板７に対して舌片８を垂直に設けたが、舌片８を斜めに設ける構成としてもよい。
【００４２】
なお、底板は、単に舌片の上にのせるだけでも植木鉢を構成することができる。このとき、壁板が波打って形が一定せず、取り扱いが不便にならない様に、壁板同士を固定するのが好ましい。図８は、植木鉢の壁板を固定する様子を示した外観斜視図である。図示した様に、壁板には、図５に示した様な、側面に円柱状の凸条と、これに嵌合し壁板同士を回動可能にする凹条と、を備え、側面端部（凸条および凹条付近）に孔を設けてある。利用者は、この孔にひもなどを通し締め付けることにより、植木鉢の形状を固定可能になる。従って、この様に植木鉢を形成すれば、図２に示したボルトやナットが不要で、部品点数を少なく、かつ、汎用品を用いて、簡便に植木鉢を組み立て可能となる。特に、壁板を木製とすれば、軽く、質感が高く、また、ひもで締め付けた後でも木の摩擦を利用して形状変更の容易な植木鉢を容易に提供可能となる。この他、壁板は、例えば、プラスチックなどを用いても良い。
【００４３】
なお、植木鉢の形状の固定は、図３に示した様な凹凸を底板と舌片に設けることによっても行える。例えば、底板には一面にゴムその他の柔軟かつ摩擦力の高いイボを多数設け、舌片先端にイボの間に差し込める凸体（またはイボに差し込める凹体）を設け、側板を底板の自由な位置に差し込める様にしてもよい。
【産業上の利用可能性】
【００４４】
本発明の活用例として、花壇の周囲を植木鉢で囲み、植木鉢の形状を定期的に変更して変化に富みおもしろみのある花壇を提供できる。
【図面の簡単な説明】
【００４５】
【図１】本実施の形態の植木鉢の外観斜視図である。
【図２】本実施の形態の植木鉢の分解斜視図である。
【図３】図１に示した植木鉢のＡ−Ａ’断面図である。
【図４】本実施の形態の植木鉢を上部側から見た場合の外観図である。
【図５】本実施の形態の壁板の斜視図である。
【図６】本実施の形態の植木鉢の容積を変化させた場合の舌片の配置の状態を上部から示した概略透視図である。
【図７】同じ部品構成で異なる形状を形成させた場合の例を示した概略透視図である。
【図８】植木鉢の壁板を固定する様子を示した外観斜視図である。
【符号の説明】
【００４６】
１              植木鉢
２              壁板
３              上部底板
３０３、８０２  凹凸
４              下部底板
５              固定用ボルト
６              ナット
７              側板
８              舌片
９              凸条部
１０            凹条部
【図１】
2005021158.tif 000003
【図２】
2005021158.tif 000004
【図３】
2005021158.tif 000005
【図４】
2005021158.tif 000006
【図５】
2005021158.tif 000007
【図６】
2005021158.tif 000008
【図７】
2005021158.tif 000009
【図８】
2005021158.tif 000010